(57)【要約】【課題】  ディスポーザの高さを小さくするとともに、排出効率を向上させる。【解決手段】  投入口１に続く破砕室２の底部に設けられた回転板３をそなえ、水とともに投入された厨芥を破砕室２で破砕して、回転板３の下側に形成された排出室１０に落下させ、排出室１０の側面に設けた排出口１１から排水管９に排出させるディスポーザであって、前記排出室１０の側面に設ける排出口１１を、高さが排水管９の内径ａよりも小さいｂで周方向に長い矩形あるいは楕円形などの異形孔にして開口させる。この排出口１１と排水管９を、次第に断面形状を変えるテーパー内面をそなえた異形接続部１２を介して接続させている。このため、排出室１０の高さは排出口１１の高さｂまで小さくでき、排出口１１が周方向に長いため流れ込む排出量が増大する。【選択図】      図１
2005246234.tif 000002
【特許請求の範囲】
【請求項１】
投入口に続く破砕室と、破砕室の底部に設けられた回転板をそなえ、水とともに投入された厨芥を破砕室で破砕して、回転板下側の排出室に落下させ、排出室側面に設けた排出口から排水管に排出させるディスポーザにおいて、排出室の高さを排水管の径より小さくし、排出室側面に周方向に長く開口させた排出口を設け、前記排出口と排水管を接続させたことを特徴とするディスポーザ。
【請求項２】
前記排水口が、排水管と異形に形成され、次第に断面形状を変えるテーパー内面をそなえた異形接続部を介して排水管に接続させている請求項１に記載したディスポーザ。
【請求項３】
前記排出口が、矩形状に形成されている請求項１または２に記載したディスポーザ。
【発明の詳細な説明】
【技術分野】
【０００１】
本発明は厨芥を水とともに破砕処理して排水管により排出するディスポーザー、特に家庭用のディスポーザを小形化するとともに、排出効率を向上させる構造に関する。
【背景技術】
【０００２】
流し台の排水口に取り付け、生ごみなどの厨芥を水とともに投入して破砕処理し、排水管に流すようにしたディスポーザーは、たとえば図３に示すように、流し台に取り付ける投入口１の下方に破砕室２が形成され、この破砕室２の底部に回転板３が設けられ、回転板３上に投入された厨芥を、モータ４によって回転する回転板３上の打撃刃５で砕くとともに遠心力で飛散させ、破砕室内壁との衝突および回転板３周囲の破砕刃６によって細かく破砕させ、回転板３の周囲から回転板下方の排出室７に水とともに落下させ、排出室７の側面に設けた排出口８から排水管９に排出するようにしている。
また、排出室７に落下する破砕処理された厨芥の排出を有効に行わせるため、回転板３の下面に羽根（インペラ）を固着させて排水管９への流入速度を高くし、排出能力を高めるようにしたものが知られている（特許文献１参照）。
【特許文献１】特開平１０−３２３５７６号公報
【発明の開示】
【発明が解決しようとする課題】
【０００３】
このように流し台の下に連結されるディスポーザ、特に家庭用のディスポーザでは、流し台下方のスペースが制限されるので、ディスポーザ全体の高さを少しでも小さくすることが望まれる。
しかるに、従来のディスポーザにおいては、排出室側面に設けられた排出口８を排水管９の内径に合わせた大きさにしており、したがって、排出室７の高さを排水管９の内径より小さくできず、全体の高さを小形化するために、モータを小さくしたり投入口や破砕室の高さを短くすると、回転板のトルク不足や破砕室が小さくなって破砕効率を低下させるなどの欠点があった。
本発明は、排出室の高さを小さくして全体の高さを小形化するとともに排出効率を高め得るディスポーザを提供することを目的にしている。
【課題を解決するための手段】
【０００４】
このため、投入口に続く破砕室と、破砕室の底部に設けられた回転板をそなえ、水とともに投入された厨芥を破砕室で破砕し、回転板の周囲から回転板下側に形成した排出室に落下させ、排出室側面に設けた排出口から排水管に排出させるディスポーザにおいて、排出口の高さを排水管の径より小さくすることによって排出室の高さを排水管の径より小さくでき、全体の高さを小形化するとともに、排出口の周方向寸法を大きくして排水能力を保持させている。
また、排出口の高さを小さくし排水管と異形に形成させるため、次第に断面形状を変えるテーパー内面をそなえた異形接続部によって長孔の排出口と円形の排水管を接続させることにより、排出口からの排出流量を従来より低下させず、逆に増大させて排出効率を向上させるようにしている。
【０００５】
この異形接続部は、ディスポーザから排出口の形状を有する接続部材を突出させ、この接続部材に合わせて接続端部変形させた排水管を連結するようにしてもよい。
なお、排出室側面の排出口の形状は、排出室側面に沿って周方向に長い矩形状や楕円形に形成され、底辺が大きくなる矩形状が望ましく、排出口の大きさは必ずしも排水管の断面積と一致させる必要はない。
【発明の効果】
【０００６】
このように、排出口の高さを排水管の径より小さくし、周方向寸法が大きい矩形状や楕円形にして排水管と異形に形成し、次第に断面形状を変えるテーパー内面をそなえた異形接続部によって排出口と排水管を接続させているので、排出室の高さを排出口の高さに合わせて排水管の径より小さくでき、全体の高さを小形化できる。
また、排出口が周方向に広いため、排出室内の処理厨芥が排出口から幅広く流入し、排出効率を高める効果が得られる。
【発明を実施するための最良の形態】
【０００７】
以下、図１および図２について説明する。
１は流し台に取り付けられる投入口、２は投入口１に弾性接続管を介して連結された破砕室で、底部にモータ４で回転する回転板３を設け、回転板上に投入口１から水とともに投入される厨芥を、回転板上に取り付けた打撃刃（スイングハンマー）５で破砕し、さらに遠心力で排出室内壁に衝突させて破砕し、回転板周囲の破砕刃６で細断して、回転板３の周囲から回転板３の下方に形成された排出室１０に落下させる。
従来のディスポーザでは図４のように、排出室７の排出口８を排水管９の内径と等しくしており、このため排出口を側面に設ける排出室７の高さは、排水管内径ａより小さくできなかった。しかし、本発明のディスポーザは、図２のように排出口１１の形状を排水管と異形にし、高さｂを排水管９の内径ａより小さくしているので、この排出口１１を設ける排出室１０の高さをｂまで小さくすることができる。
【０００８】
また、排出口１１が周方向に広くなり、排出室１０に流れ込んだ厨芥と水の高さがｈであれば排出口１１からの排出量（点で示す部分）が大きくなり、排出効率も増大させることができる。
なお、図１では排出室１０の底面を平面で示しているが、排出口に向けて傾斜させることが望ましく、また、回転板とともに回転する羽根１３を設けておけば、排出速度を加速させることができる。
【図面の簡単な説明】
【０００９】
【図１】本発明の実施例を示す側面図で、モータ部分を除いて断面にしている。
【図２】図１における排出口と排水管の形状を示す説明図である。
【図３】従来の例を示す側面図で、モータ部分を除いて断面にしている。
【図４】図３における排出口と排水管の形状を示す説明図である。
【符号の説明】
【００１０】
１  投入口
２  破砕室
３  回転板
４  モータ
５  打撃刃
６  破砕刃
７  排出室
８  排出口
９  排水管
１０  排出室
１１  排出口
１２  異形接続部
１３  羽根
【図１】
2005246234.tif 000003
【図２】
2005246234.tif 000004
【図３】
2005246234.tif 000005
【図４】
2005246234.tif 000006